(57)【要約】【課題】  テニスの正しい打撃フォームの習得に加え、習熟した場合にはより高度な練習を行い得る新規なテニス練習装置の開発を試みたものである。【解決手段】  本発明のテニス練習装置Ａは、シート支持フレーム２と、打球受けシート３と、この打球受けシート３上端に手前側に向かって側面視で湾曲した庇状に設けられる反転案内部４とを具え、プレーヤーＰの打った打ち込み打球ｂ１は、打球受けシート３に受け止められた後、反転案内部４によって反転し、戻り打球ｂ２となって打球受けシート３に沿って下降して打球受けシート３から飛び出し、練習場所の基面Ｂでバウンドして再度プレーヤーＰの近くに戻り、この戻り打球ｂ２を再度プレーヤーＰが打ち返して打球練習を継続する装置において、前記打球受けシート３は、プレーヤーがいくつかの好適な打ち返し位置を選択できる戻り打球誘導構造３３を具えていることを特徴として成るものである。【選択図】図１
2010125071.tif 000002
【特許請求の範囲】
【請求項１】
適宜の練習場所に設置できるシート支持フレームと、
このシート支持フレームに先上り傾斜状態に展開するように支持される打球受けシートと、
この打球受けシート上端に手前側に向かって側面視で湾曲した庇状に設けられる反転案内部とを具え、
プレーヤーの打った打ち込み打球は、打球受けシートに受け止められた後、反転案内部によって反転し、戻り打球となって打球受けシートに沿って下降して打球受けシートから飛び出し、練習場所の基面でバウンドして再度プレーヤーの近くに戻り、この戻り打球を再度プレーヤーが打ち返して打球練習を継続する装置において、
前記打球受けシートは、プレーヤーがいくつかの好適な打ち返し位置を選択できる戻り打球誘導構造を具えていることを特徴とするテニス練習装置。
【請求項２】
前記戻り打球誘導構造は、打球受けシートの下端部近くの部位の張り面の設定を、打球受け部の張り面に対し谷折り状態に変える第１誘導構造であることを特徴とする請求項１記載のテニス練習装置。
【請求項３】
前記第１誘導構造は、打球受けシートの下端部近くに設けた一定の剛性を有する案内板であることを特徴とする請求項１または２記載のテニス練習装置。
【請求項４】
前記戻り打球誘導構造は、打球受けシートの上面を幅方向に覆う上面案内シートを含み、この上面案内シートは、打球受けシートの張り角度より浅い張り角度に設定されるとともに、先端縁は、打球受けシートと接しながら且つ上面案内シート下面を通る打ち込み打球をくぐり抜け状態に通過させ、一方戻り打球は、その上面を通過させる第２誘導構造であることを特徴とする請求項１、２または３記載のテニス練習装置。
【請求項５】
前記反転案内部は、打球受けシートの上端部が側面視で湾曲した庇状に張設されて構成されていることを特徴とする請求項１、２、３または４記載のテニス練習装置。
【請求項６】
前記反転案内部は、反発係数の大きい硬質素材で形成されていることを特徴とする請求項１、２、３または４記載のテニス練習装置。
【請求項７】
前記反転案内部は、戻り打球の戻り方向を変化させる偏向案内部を具えていることを特徴とする請求項５または６記載のテニス練習装置。
【請求項８】
前記偏向案内部は、幅方向左右の一方また双方の端部近くに設けられていることを特徴とする請求項７記載のテニス練習装置。
【発明の詳細な説明】
【技術分野】
【０００１】
本発明は、テニス練習装置に関するものであって、特に実際の打撃スキルの向上に顕著な効果を発揮する新規な構造に係るものである。
【背景技術】
【０００２】
一般にテニスの打撃練習を一人で行う場合、垂直壁面を利用してボールを打ち込み、戻り打球を再び打ち返して練習したり、あるいは伸縮性を具えた紐に取り付けられたボールを打ち込む等の手法が採られている。しかしながらこのような手法は、実際の打ち込み練習の効果を十分に上げにくい上、例えばボールを打ち込むのに適した垂直壁面にあっては身近に存在するものではなく、練習環境も限られてしまう。
このようなことから、適宜の練習場所に設置することができるようにしたテニス練習装置として、例えば打球受けシートを練習するプレーヤーの前に斜めに張設状態に設置し、その上端部に手前に向って側面視で湾曲した庇状の反転案内部を形成することにより、打球受けシートに打ち込まれた打ち込み打球が上部の反転案内部において戻るように案内され、戻り打球として打球受けシートに沿って下降して戻り、その戻ったボールが地面ないしは床面から再度バウンドしたところを打ち返す形態のものが提案されている（特許文献１、２、３）。
【０００３】
しかしながら、これらのものは、実際には戻り打球が打球受けシート上を戻ってくるとき、格別な工夫がされておらず、打球受けシートの基面に対する設定角度を変えない限りは、常に一定の角度で戻り打球が打球受けシートから飛び出し、同じ場所でバウンドすることとなる。その結果常にプレーヤーは、同じ場所で打ち返すこととなり、実際的なスキルアップの効果が必ずしも十分に得られない。
このスキルアップのための条件とは、戻り打球のバリエーションが自由に選択できること、並びに打ち返し時の打球の仰角を適宜試すことができることであって、具体的には球速が速く、高い打点（打ち返し位置）、あるいは低い打点の戻り打球、球速が遅く、高い打点、あるいは低い打点の戻り打球が得られること、更には打ち込み打球の仰角が変わっても、打ち込み打球を捕球し損なうことがないよう充分打球受けシートが展開していること、これらが必要とされている。
しかしながら、前述のとおり、従来手法には、このような効果が期待できる構成は具わっていない。
【特許文献１】実開昭５８−１５３８７１号公報
【特許文献２】実開昭５８−１１７６６７号公報
【特許文献３】実開昭５８−１０１６７４号公報
【発明の開示】
【発明が解決しようとする課題】
【０００４】
本発明は、これらの種々の背景を考慮してなされたものであって、正しい打撃フォームの習得に加え、習熟した場合にはより高度な練習を行い得る新規なテニス練習装置の開発を試みたものである。
【課題を解決するための手段】
【０００５】
請求項１記載のテニス練習装置は、適宜の練習場所に設置できるシート支持フレームと、このシート支持フレームに先上り傾斜状態に展開するように支持される打球受けシートと、この打球受けシート上端に手前側に向かって側面視で湾曲した庇状に設けられる反転案内部とを具え、プレーヤーの打った打ち込み打球は、打球受けシートに受け止められた後、反転案内部によって反転し、戻り打球となって打球受けシートに沿って下降して打球受けシートから飛び出し、練習場所の基面でバウンドして再度プレーヤーの近くに戻り、この戻り打球を再度プレーヤーが打ち返して打球練習を継続する装置において、前記打球受けシートは、プレーヤーがいくつかの好適な打ち返し位置を選択できる戻り打球誘導構造を具えていることを特徴として成るものである。
【０００６】
請求項２記載のテニス練習装置は、前記請求項１記載の要件に加えて、戻り打球誘導構造については、打球受けシートの下端部近くの部位の張り面の設定を、打球受け部の張り面に対し谷折り状態に変える第１誘導構造であることを特徴として成るものである。
【０００７】
請求項３記載のテニス練習装置は、前記請求項１または２記載の要件に加えて、前記第１誘導構造については、打球受けシートの下端部近くに設けた一定の剛性を有する案内板であることを特徴として成るものである。
【０００８】
請求項４記載のテニス練習装置は、前記請求項１、２または３記載の要件に加えて、前記戻り打球誘導構造については、打球受けシートの上面を幅方向に覆う上面案内シートを含み、この上面案内シートは、打球受けシートの張り角度より浅い張り角度に設定されるとともに、先端縁は、打球受けシートと接しながら且つ上面案内シート下面を通る打ち込み打球をくぐり抜け状態に通過させ、一方戻り打球は、その上面を通過させる第２誘導構造であることを特徴として成るものである。
【０００９】
請求項５記載のテニス練習装置は、前記請求項１、２、３または４記載の要件に加えて、前記反転案内部については、打球受けシートの上端部が側面視で湾曲した庇状に張設されて構成されていることを特徴として成るものである。
【００１０】
請求項６記載のテニス練習装置は、前記請求項１、２、３または４記載の要件に加えて、前記反転案内部については、反発係数の大きい硬質素材で形成されていることを特徴として成るものである。
【００１１】
請求項７記載のテニス練習装置は、前記請求項５または６記載の要件に加えて、前記反転案内部については、戻り打球の戻り方向を変化させる偏向案内部を具えていることを特徴として成るものである。
【００１２】
請求項８記載のテニス練習装置は、前記請求項７記載の要件に加えて、前記偏向案内部については、幅方向左右の一方また双方の端部近くに設けられていることを特徴として成るものである。
【発明の効果】
【００１３】
まず請求項１記載の発明によれば、打球受けシートは、戻り打球誘導構造を具えており、戻り打球は、テニス練習装置から一定距離隔たったプレーヤーの近くに正確にバウンドして返球される。この結果、プレーヤーは、常に正確な打球フォームの会得ができる。
【００１４】
また請求項２記載の発明によれば、打球受けシートの下端部位の張り加減を変更することにより、戻り打球を望ましい方向に誘導することができ、装置構造も簡単で且つ、プレーヤーの望む設定が容易にできる。
【００１５】
また請求項３記載の発明によれば、戻り打球誘導構造は、一定の剛性を有する案内板を用いていることから、戻り打球の速度が減殺される割合が少なく、正確な返球状態が得られる。
【００１６】
また請求項４記載の発明によれば、打球受けシートの上面を幅方向に覆う上面案内シートを用いることから、戻り打球は、この上面案内シートに案内されて、高い位置から落下し、結果的に高くバウンドした戻り打球は、緩やかな速度となり、初心者にとって練習がしやすい状況が得られる。
【００１７】
また請求項５記載の発明によれば、打球受けシートの上端に設けられる反転案内部は、打球受けシートの上端部を庇状に張設することにより形成しているものであるから、簡単な構成のもとにテニス練習装置を提供し得る。
【００１８】
また請求項６記載の発明によれば、反転案内部が反発係数の大きい硬質素材で形成されていることから、打球の勢いが止められがちな反転案内部においても打球の勢いが減殺されず、あたかもそこでバウンドしている状態となって勢いのよい戻り打球となる。従って、上級者にとっても十分満足な練習を行うことができる。
【００１９】
また請求項７記載の発明によれば、反転案内部には、戻り打球の戻り方向を変えるための偏向案内部が具えられており、打ち込み打球は、反転する際に予想外の方向に偏向し、戻り方向が一定とならない。従ってプレーヤーは、それに応じた左右への動きも習得でき、上級者にとっても適切な練習形態が得られる。
【００２０】
また請求項８記載の発明によれば、偏向案内部は、反転案内部の左右両端部に設けられており、プレーヤーは、そのコーナー部を突いた打球スイングをすると、その反転方向が変化して返球がされることが予想され、打ち込みの位置の目標設定と戻り打球の方向が定まりにくいこととが相まって、上級者にとってもより効果的な練習ができる。
【発明を実施するための最良の形態】
【００２１】
本発明を実施するための最良の形態は、以下述べる実施例をその一つとするものであるとともに、この技術思想に基づく種々の改良した実施例も含むものである。
【実施例１】
【００２２】
以下、本発明のテニス練習装置Ａを図示の実施例に基づいて具体的に説明する。
このものは、適宜の屋内屋外の練習場所に設置して用いられるものであり、設置されるグランド面、または床面を基面Ｂとする。このテニス練習装置Ａの主要構成は、図１、２、３に示すように一例として適宜の基台１に対して、枠状をなすシート支持フレーム２を斜設状態に取り付け、更にこのシート支持フレーム２に対して打球受けシート３を張設したものであり、この打球受けシート３の上方には、反転案内部４を具え、また前記打球受けシート３の下方に戻り打球誘導構造３３を構成する第１誘導構造３３Ａを具える。
このような構成により、プレーヤーＰがラケットＲによって打ち込んだ打ち込み打球ｂ１は、打球受けシート３に受け止められ、反転案内部４によってボールの進行方向を変更され、戻り打球ｂ２となって再び打球受けシート３に沿って落下し、第１誘導構造３３Ａに案内されて打球受けシート３から飛び出し再びプレーヤーＰの近くの基面Ｂでバウンドするものであり、このバウンドした戻り打球ｂ２を再度プレーヤーＰが打ち、これを繰り返して練習する。
【００２３】
以下、各部材について詳細に説明する。
まず基台１は、金属パイプ、樹脂パイプ、あるいはこれらの複合素材で構成したパイプ等を用いて構成するものであり、側面視で前後に開脚する脚部１０を具える。この脚部１０の上端には、枠支持ブラケット１１を左右一対具える。そしてこの枠支持ブラケット１１は、脚頂部支点１２において、一対の脚部１０の上端と開閉自在に接続されている。更に、脚部１０は、上下方向中段に脚部ブレース１３を具えるものであり、この脚部ブレース１３は、中央で屈曲自在に構成されている。一方枠支持ブラケット１１は、更に枠用固定支点１４を上方に突出したように設けるとともに、それよりも段差状に低くなった位置に枠用調整支点１５を具える。
【００２４】
このような基台１に対し、シート支持フレーム２が斜設状態に支持される。シート支持フレーム２は、金属パイプ、樹脂パイプ、あるいはこれらの複合素材で構成したパイプ等を用いて構成するものであり、正面視で矩形枠状に形成され、その周辺部位を周枠部２０とする。この周枠部２０は、その上端側に側面視Ｕ字状に反転枠２１を具えるとともに、周枠部２０のほぼ中間には、前記基台１における枠支持ブラケット１１と接続する固定接続部２３が下方に向けて突出するように形成されている。更に、この固定接続部２３に接近した位置に枠用調整支点１５に接続される調整接続部２５が設けられる。この調整接続部２５は、具体的には接続板２５０を主要部材として成り、この接続板２５０は、調整用の長孔２５１を具えるとともに、その一端は周枠部２０に設けられたブラケット２５２に対して、ピン２５３において回動自在に接続されている。
【００２５】
更に前記周枠部２０の下方には、下面に向かって伸びる誘導ステー２６が設けられ、このものは上下に並ぶように複数の調節フック２６０が形成されている。またこの誘導ステー２６より幾分か上方位置における周枠部２０には、必要に応じて図７に示すように上面に向かって伸びる案内シート用ステー２７が設けられる。なおこれら誘導ステー２６及び案内シート用ステー２７の作用については後述する。
このようなシート支持フレーム２は、その固定接続部２３が基台１の枠支持ブラケット１１における枠用固定支点１４に適宜ボルトナット等で固定されるとともに、接続板２５０が長孔２５１において前記枠用調整支点１５に対し、例えば手回し自在の固定ボルト１５１などにより固定される。この構成から理解できるように長孔２５１の適宜の位置を選択することにより、シート支持フレーム２の斜設状態を適宜設定し得るものである。もちろんこの斜設状態を設定自在とするにあたっては長孔に限らず、多段に整列させた多数の調節孔であってもよい。
【００２６】
次にシート支持フレーム２に張設される打球受けシート３について説明する。
このものは、合成樹脂繊維等で補強した樹脂シートや、いわゆるキャンバス地等の適宜のシート素材を用いることができる。
まず打球受けシート３は、図３に示すように前記シート支持フレーム２よりやや小さい寸法に断裁されたシート本体３０を主要部材とする。そして、このシート本体３０は、シート支持フレーム２に対して取り付けるために、取付ループ３０１ないしはハトメ３０２を周辺に有するものである。
このシート本体３０をシート支持フレーム２に対して取り付けるにあたっては図３（ａ）〜（ｃ）に示すように、適宜の手法を採り得るものであるが、例えば取付ループ３０１を形成するにあたり、長さ寸法を調節することができる面ファスナで止めるようにしたり  （図３（ａ））、張設スプリングｓを用いたり（図３（ｂ））、更に前記ハトメ３０２に適宜のストラップ３１を編み込み状に捲回させて固定させる手法などが採り得る。
【００２７】
そして、この打球受けシート３は、下方部位を除いた範囲を打球受け部３２とするとともに下方部位に戻り打球誘導構造３３を設ける。具体的には、戻り打球誘導構造３３のうちの第１誘導構造３３Ａであって、打球受けシート３の下端近くを前記誘導ステー２６における調節フック２６０のうちのいずれかを選択利用して張設スプリングｓで更に下方に引くように張設し、シート本体３０における下端部位の張り面の設定を打球受け部３２の張り面に対し、谷折り状態になるように設定する構造であり、ここを誘導部３３１とする。もちろんこの部位に、図４に示すように別途誘導板３３２を重ねるように設けたり（図４（ａ））、あるいはシート本体３０を屈曲はさせず、別途誘導板３３２を設けるようにしても（図４（ｂ））差し支えない。更にまた図示は省略するが誘導部３３１を構成するシートをポケット状に構成しておき、ここに誘導板３３２を差し嵌めるようにして設けてもよい。
なおシート本体３０における打球受け部３２と、誘導部３３１との境界は、その左右両端側において誘導ステー２６を利用して下方に引くようにするときには、境界部位でシート本体３０の上面からみて内曲り状態、即ち谷折り状体となるものの、角張ることがなく、なめらかに湾曲した状態が得られる。
【００２８】
なお打球受けシート３に関して、図２に仮想線で示すように誘導部３３１の手前側端部に打ち込み打球ｂ１の反発防止フラップ３４Ａや、受球幕シート３４Ｂを設けることができる。即ち反発防止フラップ３４Ａは、例えば打球受けシート３を構成する素材を複数枚重ねて、一定のコシの強さを出し、これを周枠部２０手前側部位からほぼ水平に張り出すようにして、打ち込み打球ｂ１が周枠部２０に直接当たってしまってプレーヤーＰ側に反発戻りしたりすることを防ぐものである。
また受球幕シート３４Ｂは、打球受けシート３の更に下方に打ち込み打球ｂ１が飛んだとき、前方に飛び出さないように受け止めるためのものである。
【００２９】
次に打球受けシート３の上端部に設けられる反転案内部４について説明する。
もっとも基本的な実施例としては、図５に示すようにシート本体３０の上端を更に延長させて、これをシート支持フレーム２に設けた反転枠２１の部位で、張設スプリングｓを介して支持し、シート自体を手前側に庇状に湾曲した状態に張設する構造である。
もちろん、この反転案内部４は、このような構成に限らず、図６に示すように別体の反転案内トラフ４１を用いることも可能である。このものは、十分な反発係数を有する硬質樹脂等の素材により構成するものであり、このものは、その左右両側端部近くを内向させて、偏向案内部４２を形成することができる。
これは、反転案内部４に至った打ち込み打球ｂ１がこの反転案内部４によって戻り方向が変えられ、最終的に基面Ｂにおける戻り位置の変更を発現させるための手法である。もちろん、このような偏向案内部４２は、硬質の反転案内トラフ４１を用いることが好ましいが、反転案内部４をシート本体３０で構成した場合も、その張設状態の調整により偏向案内部４２を形成し得ることは言うまでもない。
また硬質で反発係数の大きい反転案内トラフ４１を用いた場合、常にあるいは必要に応じて反転案内面に低反発の素材を張り、球速の変化を得るようにすることもできる。
【００３０】
本発明のテニス練習装置Ａの最も基本的な構成は以上述べたとおりであり、以下のように用いて打球練習を行う。
まず適宜の練習スペースが確保できる位置に本装置を設置する。設置するにあたっては、基台１の脚部１０が折畳み自在の時には、これを拡げて自立状態を得たうえで、シート支持フレーム２を適宜の傾斜角度に先上り状態に設定する。
この状態でプレーヤーＰは、ボールを打球受けシート３に向かってラケットＲにより打ち込む。この打ち込まれた打ち込み打球ｂ１は、打球受けシート３上の打球受け部３２で受け止められるが、打撃の勢いで更に打球受けシート３上を進み、その上部の反転案内部４に至る。ここで反転案内部４の庇状の湾曲形状に案内されて、戻り打球ｂ２として、打球受けシート３上における打球受け部３２を落下して戻る。そして、その下端近くで戻り打球誘導構造３３における誘導部３３１により水平近くないしは幾分か上昇するように飛び出し状態を変え、その状態で図１、２に示すように基面Ｂに落下してプレーヤーＰの至近距離でバウンドする。このようにバウンドした戻り打球ｂ２をプレーヤーＰは再び打ち返して練習を継続する。本発明にあっては、戻り打球ｂ２が戻り打球誘導構造３３の作用により常に正確に基面Ｂ上にバウンドし、繰り返しの打ち込み練習ができ、理想的な打撃フォームの習得が図られるのである。また、このとき戻り打球ｂ２の戻り位置を変更させる場合には、前記誘導部３３１を出現させている調節フック２６０を利用した引っ張り状態を変え、誘導部３３１の張設角度を変えたり、戻り打球ｂ２の飛び出し状況を変更させる。
【００３１】
このとき、更にスキルアップしたプレーヤーＰは、反転案内部４の左右端部に偏向案内部４２が設けられている場合には、装置の両端付近に打球を打ち返すことにより、更に難度の高い練習ができる。即ち偏向案内部４２の屈曲により、打ち込み打球ｂ１は、反転しながら戻る方向が逸れた戻り打球ｂ２となり、この戻り打球ｂ２を打ち返すこととなり、あたかも実際のゲームでの相手プレーヤーからの多様な方向からの返球を再現したような状態が得られ、高度な練習を行うことができる。
【００３２】
〔他の実施の形態〕
本発明は以上述べた実施の形態を一つの基本的な技術思想の実施例とするものであるが、更に次のような改変が考えられる。
まず、図７に示す実施例は、比較的初心者向けの戻り打球ｂ２が得られる実施例である。即ち別途上面案内シート３５を第２誘導構造３３Ｂとして用意し、このものをシート本体３０の上面幅方向を覆うように前記案内シート用ステー２７を利用して張設する。その先端部は、打球受けシート３に接するように重ね合わせ状態とし、且つ張設角度は打球受けシート３の張設角度より浅くないしは更に手前側が上昇するような傾斜に調節するものである。このようにした時には、プレーヤーＰの打球は上面案内シート３５の上面を抜けた場合には、その上方でシート本体３０における打球受け部３２に受け止められて、先の基本的な実施例と同様に反転案内部４で反転して戻るものであるが、戻り時には上面案内シート３５上を戻り、より高い位置から基面Ｂに落下してバウンドする。このように戻り打球ｂ２が高くバウンドすることからプレーヤーＰにとっては緩めの高さがある戻り打球ｂ２が得られ、初心者のプレーヤーＰにとっても、そのスキルに適した練習がなし得る。またプレーヤーＰの打ち込み打球ｂ１が上面案内シート３５の下面を通った場合であっても、上面案内シート３５の先端は、打球受けシート３のシート本体３０とは、接着状態にはなく単に重ね合せた状態としてあるから、図７に示すように打ち込み打球ｂ１は、この間をくぐり抜け状態に通過することができ、一方戻り打球ｂ２は、必ず上面案内シート３５の上面を通って戻り、緩やかな戻り打球ｂ２となる。
【００３３】
更に全体的な構成として、以下のような形態も採り得る。
まず図８に示すものは、シート支持フレーム２の四隅に直接基台１の脚部１０が設けられる実施例であって、プレーヤーＰ側の脚部１０は短く、反転案内部４側の脚部１０は長い状態とする。更にそれぞれの脚部１０には、その高さを選択できるような調整機構１０１を具えることが好ましい。
更に他の形態としてはシート支持フレーム２については枠形状でないものも可能である。例えば図９に示すものは、十分な重みを有する基台１から上方に向けて放射状に一例として４本の杆状のシート支持フレーム２が設けられ、この先端に打球受けシート３の四隅部を支持させるように取り付けるとともに、更にシート支持フレーム２の安定的な設定のために、張り網２０１をそれぞれ設けたものである。更に打球受けシート３の下方には、誘導用張り網２６１を設けるものであり、これによって誘導部３３１を設定する。
【００３４】
更にまた図１０に示す実施例は、専用形状のシート支持フレーム２すら排除したものであって、シート支持フレーム２を別途用途の捕球ネット装置５を利用して構成したものである。即ち十分な捕球の広さを有する捕球ネット装置５に対し、その装置フレーム５１をシート支持フレームとして利用して、打球受けシート３のみを宙吊り状態に設けるような手法であっても構わない。即ち、ネット５２で囲まれた内側に、支持ストラップ５３を複数本設置して、適宜打球受けシート３を装置フレーム５１に対し吊設して打球受けシート３を斜設状態に形成するものである。
【００３５】
更に実際の使用の便を考慮して、シート支持フレーム２についても折畳み可能に構成することができる。図１１に示す実施例は、シート支持フレーム２を中間付近でヒンジ２８により折り重ね自在に構成しておくものである。このようにするときには、脚部１０の折り重ねとともに比較的厚みが少ない状態となり、移動等の便が図れるものである。
もちろんこのような場合、移動の便を更に向上するため脚部１０の一方または双方にキャスター等を取り付けておき、いわばキャスターを転動させながら移動させることが可能となる。ちなみに、このような移動自在にコンパクトにする場合、テニスのコーチ等が複数のプレーヤーＰを指導するとき、何台かまとめて車輌等で運搬して練習場に赴き、そこでこれらを拡げて、何個所かに練習場所を確保してトレーニングする形態が採り得る。
【図面の簡単な説明】
【００３６】
【図１】本願発明のテニス練習装置の使用状態を示す斜視図、並びに誘導ステーと打球受けシートとの接続状態を示す一部拡大図である。
【図２】同上側面図、並びに枠用調整支点の接続状態を示す一部断面拡大図である。
【図３】同上正面図、並びにシート支持フレームと打球受けシートとの種々の接続状態を示す一部拡大図である。
【図４】戻り打球誘導構造を示した側面図であって、（ａ）は誘導ステーを用いた実施例を示した側面図であり、（ｂ）は、別体式の誘導板を用いた実施例である。
【図５】反転案内部の構造を示す斜視図である。
【図６】反転案内部の構造を示す斜視図並びに断面平面図である。
【図７】打ち込み打球並びに戻り打球の経路を示した側面図である。
【図８】基台に関する他の実施例を示した斜視図である。
【図９】基台に関する更に他の実施例を示した斜視図である。
【図１０】シート支持フレームに関する他の実施例を示した斜視図である。
【図１１】折り畳み可能とした他の実施例を示した側面図である。
【符号の説明】
【００３７】
１        基台
２        シート支持フレーム
３        打球受けシート
４        反転案内部
５        捕球ネット装置
１０      脚部
１１      枠支持ブラケット
１２      脚頂部支点
１３      脚部ブレース
１４      枠用固定支点
１５      枠用調整支点
１５１    固定ボルト
１０１    調整機構
２        シート支持フレーム
２０      周枠部
２０１    張り網
２１      反転枠
２３      固定接続部
２５      調整接続部
２５０    接続板
２５１    長孔
２５２    ブラケット
２５３    ピン
２６      誘導ステー
２６０    調節フック
２６１    誘導用張り網
２７      案内シート用ステー
２８      ヒンジ
３        打球受けシート
３０      シート本体
３０１    取付ループ
３０２    ハトメ
３１      ストラップ
３２      打球受け部
３３      戻り打球誘導構造
３３Ａ    第１誘導構造
３３Ｂ    第２誘導構造
３３１    誘導部
３３２    誘導板
３４Ａ    反発防止フラップ
３４Ｂ    受球幕シート
３５      上面案内シート
４        反転案内部
４１      反転案内トラフ
４２      偏向案内部
５        捕球ネット装置
５１      装置フレーム
５２      ネット
５３      支持ストラップ
Ａ        テニス練習装置
Ｂ        基面
ｂ１      打ち込み打球
ｂ２      戻り打球
Ｐ        プレーヤー
Ｒ        ラケット
ｓ        張設スプリング
【図１】
2010125071.tif 000003
【図２】
2010125071.tif 000004
【図３】
2010125071.tif 000005
【図４】
2010125071.tif 000006
【図５】
2010125071.tif 000007
【図６】
2010125071.tif 000008
【図７】
2010125071.tif 000009
【図８】
2010125071.tif 000010
【図９】
2010125071.tif 000011
【図１０】
2010125071.tif 000012
【図１１】
2010125071.tif 000013